(57)【要約】      （修正有）【課題】ロールを可変式に凸構造にすること【解決手段】ニッププロファイルに関連する凸構造高さを制御する方法およびシステムが、圧力ロール６０５の圧力を調節することを含んでいる。これは圧力ロールの形状に影響を及ぼす可能性があり、この圧力ロールの形状はニッププロファイルに影響を及ぼす可能性がある。これは、しわの防止を助ける可能性があり、圧力ロールの寿命を延ばすのを助ける可能性がある。圧力ロール６０５は、圧力ロールの幅の全域で可変の壁厚を有するように構成してもよい。圧力ロールは、ロール紙用途に使用してもよい。【選択図】図６
2014035081.tif 000002
【特許請求の範囲】
【請求項１】
圧力ロールの動作を制御するコンピュータで実現される方法であって、
前記方法は圧力ロールの内圧を調節することであって、前記圧力ロールは、その内壁上に特別注文のプロファイルを含むように構成されており、前記圧力ロールはスプレッダシステムに関連している、調整することを含む、
方法。
【請求項２】
加圧した油圧油を用いて前記内圧を調節する、請求項１に記載の方法。
【請求項３】
前記内壁がテーパ状になっている、請求項１に記載の方法。
【請求項４】
前記内壁が中央部分でより薄く、外側部分でより厚くなっている、請求項３に記載の方法。
【請求項５】
前記内圧を前記調節することが、ニッププロファイル情報に関連する凸構造高さを低くするために前記内圧を下げることを含む、請求項１に記載の方法。
【請求項６】
スプレッダドラムと、
前記スプレッダドラムと対になる圧力ロールであって、かつ前記圧力ロールはエラストマー被覆を備えた外部表面と、前記圧力ロールの幅の全域で可変の壁厚を有する内部表面と、を有するように構成されている、圧力ロールと、を含む、
スプレッダシステム。
【請求項７】
ニッププロファイルに基づいて前記圧力ロールの内圧を制御するように構成された圧力制御論理をさらに含む、
請求項６に記載のスプレッダシステム。
【請求項８】
前記圧力制御論理と連動して、前記圧力ロールの形状の変形を可能にするように構成された圧力源をさらに含む、
請求項７に記載のスプレッダシステム。
【請求項９】
前記圧力源が、加圧した油圧油を含む、請求項８に記載のスプレッダシステム。
【請求項１０】
前記圧力制御論理が、前記ニッププロファイルに関連する凸構造高さを高くするために前記圧力ロールの前記内圧を高めるように構成されている、請求項８に記載のスプレッダシステム。
【発明の詳細な説明】
【技術分野】
【０００１】
本明細書では、スプレッダドラムを圧力ロールと対にするときに、スプレッダニップのニッププロファイルを制御するための方法および装置を開示する。
【背景技術】
【０００２】
スプレッダシステムは、ニップを形成するローラ対を使用して、固体インクジェットのダイレクト・トゥー・ペーパー・プロセスにおいて媒体に噴射されたインクドットを薄く広げる。このローラ対はスプレッダと呼んでもよい。ニップを形成するローラ対は、スプレッダドラムと呼ばれる駆動ロールと、圧力ロールと呼ばれるアイドラロールと、を含んでいてもよい。スプレッダドラムは、硬質アルマイトを用いて製造してもよい。圧力ロールは、薄いエラストマー被覆を備えた鋼心を用いて製造してもよい。スプレッダシステムは、圧力ロール上のエラストマーにエッジマークが発生すると損傷し始める可能性がある。エッジマークは、ニップのプロファイルに影響を及ぼす可能性がある。ニップのプロファイルが変化すると、スプレッダはロール紙のしわに対して、あまりロバストではなくなる可能性がある。
【発明の概要】
【課題を解決するための手段】
【０００３】
圧力ロールの動作を制御するための方法および装置を開示する。方法は、圧力ロールの圧力を調節することを含んでいる。これは圧力ロールの形状に影響を及ぼす可能性があり、この圧力ロールの形状はニッププロファイルに影響を及ぼす可能性がある。これは、しわの防止を助ける可能性があり、圧力ロールの寿命を延ばすのを助ける可能性がある。圧力ロールは、圧力ロールの幅の全域で可変の壁厚を有するように構成してもよい。圧力ロールは、ロール紙用途に使用してもよい。
【図面の簡単な説明】
【０００４】
【図１】図１は、開示の１つの可能な実施形態の画像生成装置の例示的略図である。
【図２】図２は、開示の１つの可能な実施形態のスプレッダシステムの例示的略図である。
【図３Ａ】図３Ａは、開示の１つの可能な実施形態の、３つの可能なニッププロファイルを示す例示的略図である。
【図３Ｂ】図３Ｂは、開示の１つの可能な実施形態の、異なる圧力ロールおよび異なるニッププロファイルを示す例示的略図である。
【図３Ｃ】図３Ｃは、開示の１つの可能な実施形態の、異なる圧力ロールおよび異なるニッププロファイルを示す例示的略図である。
【図３Ｄ】図３Ｄは、開示の１つの可能な実施形態の、異なる圧力ロールおよび異なるニッププロファイルを示す例示的略図である。
【図４】図４は、開示の１つの可能な実施形態の、圧力ロールの異なる変形形状を示す例示的略図である。
【図５】図５は、開示の１つの可能な実施形態の、画像生成装置の処理論理の例示的略図である。
【図６】図６は、開示の１つの可能な実施形態の、調節可能な凸構造圧力ロールシステムに関連する構成要素を示す例示的略図である。
【図７】図７は、開示の１つの可能な実施形態の、圧力ロールの内圧を制御する動作の例示的フローチャートである。
【発明を実施するための形態】
【０００５】
開示する実施形態が、圧力ロールの動作に関連する凸構造高さを制御するための方法を含んでいてもよい。この方法は、ニッププロファイルに基づいて、圧力ロールの内圧を調節することを含んでいてもよい。圧力ロールは、その内壁上に特別注文のプロファイルを含んでいてもよい。
【０００６】
開示する実施形態は、スプレッダシステムをさらに含んでいてもよい。スプレッダシステムは、スプレッダドラムと、スプレッダドラムと対になる圧力ロールと、を含んでいてもよい。圧力ロールは、エラストマー被覆を備えた外部表面と、圧力ロールの幅の全域で可変の壁厚を有する内部表面と、を有するように構成してもよい。
【０００７】
開示する実施形態は、圧力ロールの動作を制御するための命令を保存するコンピュータ可読媒体を、さらに含んでいてもよい。命令は、ニッププロファイルを生成するために、スプレッダシステムの圧力ロールの内圧を調節することを含んでいてもよい。圧力ロールは、その内壁上に特別注文のプロファイルを含んでいてもよい。
【０００８】
図１は、開示の１つの可能な実施形態の画像生成装置の例示的略図である。画像生成装置１００が、例えば、コピー機、プリンタ、ファクシミリ装置、および多機能デバイス（ＭＦＤ）などを含む、画像生成文書（例えば、印刷された文書、コピーなど）を作成できる可能性がある任意の装置であってもよい。
【０００９】
画像生成装置１００は、画像信号を使用して望ましい画像を生成するハードウェアを含む画像生成部分１２０のほかに、その上に画像を印刷する予定のシートを保存して分配する独立型の供給部分１１０と、マーキングエンジンからの出力である印刷物の積み重ね、折りたたみ、ホチキス止め、製本などを行うためのハードウェアを含んでいてもよい出力部分１３０と、を含んでいてもよい。
【００１０】
また、プリンタがコピー機としても動作可能である場合、プリンタは文書供給装置１４０をさらに含み、この文書供給装置１４０は、元のハードコピー画像から反射する光からの信号を、デジタル信号に変換する働きをして、つづいて、このデジタル信号を処理して、画像生成部分１２０によりコピーを生成する。また、画像生成装置１００は、その動作を制御するためのローカル・ユーザ・インタフェース１５０を含んでいてもよいが、画像データおよび命令の他の発信元として、ネットワークを介してプリンタと接続されている任意の台数のコンピュータを含んでいてもよい。
【００１１】
供給部分１１０を参照すると、モジュールが、所定の種類（寸法、重さ、色、コーティング、トランスペアレンシーなど）の媒体スタック１７０または印刷用紙（「媒体」）を保存する任意の個数のトレイ１６０を含み、トレイ内のシートのうちの１枚を命令通りに分配するための供給装置を含んでいる。特定の種類の媒体は、それらを適切に分配するのに特別な取り扱いが必要である可能性がある。例えば、重い媒体または大きな媒体は、エアナイフ、フラッファ、真空グリップ、または他の応用（図１には図示せず）を用いて、媒体スタック１７０内の一番上のシートまたは複数のシートに向けて空気圧を加えることにより、媒体スタック１７０から取り出すことが望ましい可能性がある。特定の種類のコーティングされた媒体は、熱風の流れ（図１には図示せず）などによる加熱を用いて媒体スタック１７０から取り出すことが有利である。その後、選択されたトレイ１６０上の媒体スタック１７０から取り出された媒体のシートは、画像生成部分１２０に移動して、その上に１つ以上の画像を受け取ってもよい。その後、印刷されたシートは出力部分１３０に移動して、この出力部分１３０では、当技術分野でよく知られた方法で他の媒体シートといっしょに丁合作業、ホチキス止め、折りたたみなどを行ってもよい。印刷された媒体は、例えば、媒体スタッカ１８０上などに置いてもよい。
【００１２】
図２は、開示の１つの可能な実施形態のスプレッダシステムの例示的略図である。スプレッダシステム２００が、画像生成装置１００（図１に示す）内で実現されてもよい。スプレッダシステム２００は、媒体２１５に噴射されたインクドットを薄く広げることを可能にするように構成してもよい。例えば、媒体はロール紙であってもよい。スプレッダシステム２００は、スプレッダドラム２０５と、圧力ロール２１０と、ドラム保守ユニット（ＤＭＵ）２３５と、を含んでいてもよい。
【００１３】
スプレッダドラム２０５は、中空コアと、陽極酸化処理を施した外表面とを有するアルミニウムドラムであってもよい。内部液体熱交換機（図示せず）を用いて、スプレッダドラム２０５の温度を調節してもよい。スプレッダドラムは、その間にウォータジャケットが形成される２つの同軸環状チューブを用いて構成されてもよく、このウォータジャケットの中を液体が移動して表面温度を熱的に制御する。スプレッダドラム２０５の外表面に、テフロン（登録商標）を含浸した硬質陽極酸化被覆を塗布してもよい。ＤＭＵ２３５は、単一のウレタン計量ブレードを備えた泡状ロール油塗布器であってもよい。
【００１４】
圧力ロール２１０は、ポリウレタン外表面を備えた中空鋼心であってもよい。この外表面はエラストマー被覆を含んでいてもよい。例えば、圧力ロール２１０は、ステンレス製チューブで構成されてもよく、このステンレス製チューブには、その全体を覆って、厚さ２．５ｍｍのポリウレタンエラストマー被覆が塗布してあってもよい。ポリウレタンエラストマー被覆の弾性係数は名目値で７２Ｍｐａであってもよく、ポリウレタンエラストマー被覆がスプレッダドラム２０５の表面に合わせて柔軟に適合することにより、スプレッダニップが作り出される。スプレッダドラム２０５は駆動ロールとして機能するように構成してもよく、他方、圧力ロール２１０は従動ロールとして機能するように構成してもよい。圧力ロール２１０は支持部材２１２と連結されていてもよい。
【００１５】
有向矢印２２５が、ロール紙経路例２１５を示している。スプレッダシステム２００が作動して係合しているときには、ロール紙２１５は、スプレッダドラム２０５および圧力ロール２１０と接触してもよい。スプレッダシステム２００が停止して切り離されているときには、ロール紙２１５は、スプレッダドラム２０５および圧力ロール２１０と接触していなくてもよい。スプレッダドラム２０５および圧力ロール２１０に関連するロール紙経路２１５と水平線の間にロール紙経路の角度を形成してもよい。
【００１６】
また、スプレッダシステム２００は、線形アクチュエータ２２０と、２つのローラ２５０および２５５と、を含んでいてもよい。線形アクチュエータ２２０はローラ２４５と連結されていてもよく、このローラ２４５は支持部材２３２と連結されていてもよい。ローラ２４５とローラ２５０の間には駆動ニップがあってもよい。双方向の矢印２３３が、線形アクチュエータ２２０の可能な動きを示している。ローラ２４５とローラ２５０の間には駆動ニップ２３０があってもよい。線形アクチュエータ２２０とローラ２４５〜２５５との機能の組み合わせにより、スプレッダシステム２００を通ってロール紙２１５を供給することを促進してもよい。
【００１７】
スプレッダシステム２００が作動していたり、またはスプレッダシステム２００に負荷をかけたりするときには、スプレッダドラム２０５と圧力ロール２１０の間にニップが設置されていてもよい。ニップに関連する圧力はニップ圧と呼んでもよい。ニップに沿ったニップ圧はロール紙（または媒体）２１５の幅のいたる所で均一に広がっており、ロール紙２１５の幅のいたる所でニップ圧の効果を均一に伝達するようになっていることが望ましい可能性がある。また、ニップ幅はロール紙２１５の幅のいたる所で均一になっていることが望ましい可能性がある。圧力ロール２１０が摩耗すると、エラストマー内のエッジ摩耗マークが凸構造の量の増加（凸構造の元の量の増加）の一因となる可能性がある。これは、同じ構造でエッジ摩耗がない場合と比較して、ニップを危険な状態にさせる可能性がある。圧力ロール２１０の不具合は、ロール紙にしわが寄る原因になり、圧力ロール２１０の寿命を縮める可能性がある。例えば、不具合のある圧力ロール２１０の寿命は、目標寿命の１５００万リニアフィートのロール紙２１５と比較して、５００万〜６００万リニアフィートのロール紙２１５である可能性がある。
【００１８】
圧力ロール２１０はニッププロファイルに関連していてもよい。ニッププロファイルは、ニップ負荷、スプレッダドラム、圧力ロールのコア形状、ゴムプロファイル（摩耗した、または摩耗していない）の関数であってもよい。エッジ摩耗が進むにつれて、ニッププロファイルが端部においてより狭くなる可能性があり、圧力ロール２１０がますます凸構造になる可能性がある。この凸構造の傾向が一層強まった状態では、ロール紙２１５が中央部に向かって引っ張られることにより、最終的にはロール紙のしわを引き起こす可能性がある。図３Ａは、開示の１つの可能な実施形態の、３つの可能なニッププロファイルを示す例示的略図である。ニッププロファイル３１０が、しわが寄らないニッププロファイルに関連していてもよい。ニッププロファイル３１２が、中立なニッププロファイルに関連していてもよい。ニッププロファイル３１４が、しわが寄るニッププロファイルに関連していてもよい。ニッププロファイル３１０、３１２、および３１４のそれぞれは、第１の端部または縁端部３０５と、中央部３０６と、第２の端部または縁端部３０７と、を含んでいてもよい。
【００１９】
ニッププロファイル３１０は、ロール紙総マイル数が小さい、寿命初期の圧力ロールに関連している可能性があり、しわが寄る方向の応力状態に対して、よりロバストである可能性がある。ニッププロファイル３１０は、しわが寄るのを防止する可能性があるという理由から、ニッププロファイル３１０を良好な状態にあると見なしてもよい。ニッププロファイル３１０に関連する圧力ロールに対するエラストマー凸構造は、０μｍより小さくてもよい。図示のように、ニッププロファイル３１０は、ニップの端部が中央部よりも幅が広くなっている砂時計の形を有するように見えてもよい。図３Ｂには、ニッププロファイル３１０に関連する圧力ロールの実施例を示している。負荷をかけない状態３２０および負荷をかけた状態３２１のロール紙または媒体２１５とともに、スプレッダドラム３２５および圧力ロール３２６を示している。
【００２０】
ニッププロファイル３１２は、しわが寄るのを防止する可能性があるという理由から、ニッププロファイル３１２を標準的な状態にあると見なしてもよいが、ただし、ニッププロファイル３１０と比較して、しわが寄る方向の応力状態に対して、あまりロバストではない可能性がある。図３Ｃには、ニッププロファイル３１２に関連する圧力ロールの実施例を示している。負荷をかけない状態３３０および負荷をかけた状態３３１のロール紙または媒体２１５とともに、スプレッダドラム３３５および圧力ロール３３６を示している。
【００２１】
ニッププロファイル３１４は、ニッププロファイル３１０および３１２と比較して、より高い凸構造を有している可能性がある。数百万リニアフィートのロール紙の間には、ニッププロファイル３１２が、もはや均一ではなくなる可能性がある。ロール紙２１５（図２に示す）は、圧力ロールのエラストマー被覆の中への摩耗した溝部を有する可能性がある。例えば、ニッププロファイル３１４のニップの端部３０５および３０７における溝部は、ほぼ２０〜３０μｍ程度の深さであり、溝部の外観は樽形である可能性がある。ニッププロファイル３１４は、しわを引き起こす可能性があるという理由から、望ましい状態ではないと見なしてもよい。ニッププロファイル３１４に関連する圧力ロールの実施例を図３Ｄに示している。負荷をかけない状態３４０および負荷をかけた状態３４１のロール紙または媒体２１５とともに、スプレッダドラム３４５および圧力ロール３４６を示している。
【００２２】
ニッププロファイルは手作業で決定してもよい。例えば、ロール紙を監視して、しわが寄ったり、または無理に引き伸ばしたりしていないかをチェックして、ニッププロファイルについてフィードバックを収集してもよい。これは、ロール紙がスプレッダを通過する（またはニップに入ってくる、およびニップを出ていく）ときのロール紙の幅を監視することを含んでいてもよい。ロール紙にしわが寄っており、他のすべてのプロセスパラメータが調べられているとき、ニップが良好な状態ではないと推測してもよい。これは、図３Ｄに示す圧力ロール３４６に対応している可能性がある。ロール紙がロール紙の障害（またはロール紙トラフィング）またはロール紙のしわなしに教示されるように見えるとともに、他のすべてのプロセスパラメータが調べられているとき、ニップが中立な状態と良好な状態の間にあると推測してもよい。これは、図３Ｃに示す圧力ロール３３６に対応している可能性がある。
【００２３】
圧力ロールの寿命を延ばす１つの可能な方法が、ニッププロファイル３１０で示すように、ニップの外縁部（すなわち、内部および外部）がニップの中央部よりも大きなニップ幅を有するようにニップを制御することに基づいている。これは、ニッププロファイルがそれほど凸構造にならないようにする可能性がある。この方法は、ロール紙２１５を縁端部の方へ引き伸ばして、ロール紙しわの起こりやすさを低減する可能性があるため、圧力ロール２１０の寿命を延ばす可能性がある。圧力ロール２１０の寿命を延ばす他の可能な方法が、圧力ロール２１０のエラストマー被覆の凸構造高さを変化させるようにニッププロファイルを制御することに基づいている。
【００２４】
図４は、開示の１つの可能な実施形態の、圧力ロールの異なる変形形状を示す例示的略図である。この実施例では、２組の圧力ロールを示している。第１の組は、非加圧状態（圧力ロール４０５）、および加圧状態または変形状態（圧力ロール４１５）のテーパ状コアの圧力ロールに対応している。テーパ状コアでは、圧力ロール４０５の内壁が、中央部領域４３５付近においてより薄くなっており、外側領域または縁端部領域４４０付近においてより厚くなっていてもよい。第２の組は、非加圧状態（圧力ロール４１０）、および加圧状態または変形状態（圧力ロール４２０）の直線状コアの圧力ロールに対応している。直線状コアでは、圧力ロール４１０の内壁が直線状プロファイルを有していてもよく、圧力ロール４１０の内壁の壁厚が均一であってもよい。圧力ロール４１５および４２０で示す変形は、内圧の効果を伝えやすくするために誇張してある可能性があることに注意すること。圧力ロールの内圧を制御する能力を有することにより、望ましいニップ状態を実現してエラストマーの摩耗の影響を打ち消して、しわを制御するために、圧力ロール上の凸構造の全体量を時間の経過とともに調節できるようにしてもよい。
【００２５】
図５は、開示の１つの可能な実施形態の、画像生成装置の処理論理の例示的略図である。画像生成装置５００が、バス５１０と、プロセッサ５２０と、メモリ５５０（図５では５３０）と、読み出し専用メモリ（ＲＯＭ）５４０と、レーザ撮像装置５５０（図５には、これに対応する装置なし）と、圧力制御論理５２２と、供給部分５１０（バス５１０と重複）と、画像生成部分５２１と、出力部分５３２と、ユーザインタフェース５５０と、通信インタフェース５８０と、スキャナ５７０と、を含んでいてもよい。バス５１０は、画像生成装置５００の構成要素間の通信を可能にしてもよい。
【００２６】
プロセッサ５２０は、命令を解釈して実行する少なくとも１つの従来のプロセッサまたはマイクロプロセッサを含んでいてもよい。メモリ５３０は、プロセッサ５２０で実行するための情報と命令とを保存するランダム・アクセス・メモリ（ＲＡＭ）または他の種類の動的記憶装置であってもよい。また、メモリ５３０は読み取り専用メモリ（ＲＯＭ）を含んでいてもよく、このＲＯＭは、プロセッサ５２０用の静的な情報と命令とを保存する従来のＲＯＭデバイスまたは他の種類の静的記憶装置を含んでいてもよい。
【００２７】
通信インタフェース５８０は、ネットワークを介して通信を容易にする任意の機構を含んでいてもよい。例えば、通信インタフェース５８０はモデムを含んでいてもよい。あるいは、通信インタフェース５８０は、他のデバイスおよび／またはシステムとの通信を助けるための他の機構を含んでいてもよい。
【００２８】
ＲＯＭ５４０は、プロセッサ５２０用の静的な情報と命令とを保存する従来のＲＯＭデバイスまたは他の種類の静的記憶装置を含んでいてもよい。記憶装置はＲＯＭを補強してもよく、記憶装置は、例えば、磁気記録媒体または光記録媒体などの任意の種類の記憶媒体と、それに対応する駆動装置と、を含んでいてもよい。
【００２９】
出力部分５３２は、画像生成文書をユーザに出力する、例えば、排紙トレイ、出力経路、仕上げ部分などを含む、１つ以上の従来の機構を含んでいてもよい。
【００３０】
画像生成部分５２１は、例えば、画像印刷および／またはコピー部分、スキャナ、定着器などを含んでいてもよい。
【００３１】
スキャナ５７０（またはイメージスキャナ）は、フラットベッドスキャナ、原稿送りスキャナなどの、当業者に既知の任意のスキャナであってもよい。イメージスキャナ５７０は、共通フルレート・ハーフレート・キャリッジ設計であってもよく、例えば、低コストで、高分解能（６００ｄｐｉ以上）を備えた形で構成できる。
【００３２】
画像生成装置５００は、このような機能を、例えば、メモリ５３０のようなコンピュータ可読媒体内に含まれた命令のシーケンスを実行することにより、プロセッサ５２０に呼応して実行してもよい。このような命令は、記憶装置などの他のコンピュータ可読媒体から、または通信インタフェース５８０を介して離れたデバイスから、メモリ５３０に読み込んでもよい。
【００３３】
ユーザインタフェース５５０は、ユーザが画像生成装置５００に情報を入力して画像生成装置５００と情報をやりとりすることを可能にする１つ以上の従来の機構、例えば、キーボード、ディスプレイ、マウス、ペン、音声認識装置、タッチパッド、ボタンなどを含んでいてもよい。
【００３４】
圧力制御論理５２２は、圧力ロールの外観を変化させるために内圧を加えるように構成してもよい。加圧した圧力ロールの実施例を図４に示している。これにより、圧力ロールのニッププロファイルを変えることを可能にしてもよい。いくつかの実施形態では、圧力ロールが、内圧に耐えて、加圧した油圧油を用いて引き伸ばすことができる圧力容器として機能するように構成してもよい。加圧は、圧力制御論理５２２により制御してもよい。圧力は凸構造高さを変化させる可能性があり、その結果、ニッププロファイルを変化させる可能性がある。目的は圧力ロール上の凸構造を制御することであり、それはニップの圧力分布に直接関連している可能性がある。例えば、圧力ロールの内圧を低下させることにより、凸構造高さを低下させて、大きなニッププロファイルを、中央部領域から、再び元の縁端部に移動させてもよい。凸構造高さの調節と、大きなニッププロファイルの縁端部への移動とが、ロール紙しわに対する許容度の回復を可能にしてもよい。
【００３５】
上述のように、ロール紙を横切る方向に張力を生じさせるために、ロール紙の外側で、わずかに高いニップ圧を有することが望ましい可能性がある。いくつかの実施形態では、圧力ロールのコアの厚さが、領域に応じて変化してもよく、凸構造化の調節は内圧を用いて行ってもよい。例えば、圧力ロールのある領域が、凸構造高さ調節に対して、より敏感に反応する場合、その領域の内壁の厚さが、圧力ロールの他の領域よりも薄い可能性がある。圧力ロールは、内壁の厚さの変動に起因する内部プロファイルを有していてもよい。圧力ロール上のエラストマー被覆が摩耗し始めるとともに、ロール紙の外縁部におけるニップ圧が減少し始めた可能性があるときには、圧力ロールの内圧を低下させて、凸構造を縮小して、ロール紙の縁端部まで完全に圧力を増加させてもよい。圧力制御論理５２２により内圧の変更を実行してもよい。
【００３６】
図６は、開示の１つの可能な実施形態の、調節可能な凸構造圧力ロールシステムに関連する構成要素を示す例示的略図である。調節可能な凸構造圧力ロールシステム６００が、内部プロファイルを有する圧力ロール６０５と、圧力源６１０と、圧力制御論理６２２と、を含んでいてもよい。
【００３７】
圧力ロール６０５は、厚さが変動する内壁を有するように構成してもよい。これは、圧力ロールの任意の可能な変形形状を制御するのに内圧を使用できるようにする可能性がある。圧力ロール６０５全体にわたるたわみ量を制御するために、特別注文のプロファイルを作ってもよい。例えば、特別注文のプロファイルはテーパ状プロファイルであってもよく、このテーパ状プロファイルでは、圧力ロール６０５の中間部の壁厚が縁端部よりも薄くなっていてもよい。これにより、中間部で、より大きく拡大できるようにしてもよく、したがって、圧力ロール６０５の中間部において縁端部よりも高いニップ圧を可能にしてもよい。同様に、圧力ロール６０５の内圧を低下させることにより、高いニップ圧を圧力ロール６０５の中間部から外側部分に移動させてもよい。
【００３８】
圧力制御論理６２０が、圧力ロール６０５の外観をどのように調節してよいかを決定してもよい。例えば、調節は、事前の実験からのデータに基づいて、ローラの年齢の関数として行ってもよく、この事前の実験では、摩耗率（深さ、幅など）はニップを通って処理される紙のリニアフィートおよび紙の幅、重さ、種類などの関数と見なされている。調節は、圧力ロール６０５の特定の領域に内圧を加えることを含んでいてもよい。摩耗がどこで起こっているか、およびより多くの、またはより少ない凸構造化が望ましいか否かに応じて、圧力を増減してもよい。圧力は圧力源６１０により供給してもよい。いくつかの実施形態では、圧力制御論理６２０が、圧力ロール６０５に連結するのに使用してもよいカップリングまたはコネクタ６２５を備えた油圧負荷を使用してもよい。この連結は、調節可能な凸構造圧力ロールシステム６００の電源が入っていないときに行われてもよい。切り離しは、調節可能な凸構造圧力ロールシステム６００の電源を入れる前に行われてもよい。
【００３９】
図７は、開示の１つの可能な実施形態の、圧力ロールの内圧を制御する動作の例示的フローチャートである。プロセスはブロック７００から開始してもよい。プロセスは、図６に記載して図示した調節可能な凸構造圧力ロールシステム６００により実行してもよい。ブロック７０５では、内部プロファイルを備えた圧力ロールを使用してもよい。内部プロファイルはテーパ状プロファイル（図４に示す）であってもよい。ブロック７１０では、ニッププロファイルを決定してもよい。これは、上述のように手作業で行ってもよい。ブロック７１５に示すように、ニッププロファイルに基づいて、必要な圧力調節を行うように圧力制御論理を制御してもよい。例えば、望ましくない凸構造化があることをニッププロファイルが示すとき、調節が必要である可能性があり、この望ましくない凸構造化は、調節可能な凸構造圧力ロールシステムの性能を低下させる可能性がある。調節が必要である場合には、プロセスはブロック７１５からブロック７２０に流れてもよく、このブロック７２０では、望ましくない凸構造化が是正されるまで圧力ロールに内圧を加えてもよい。調節が必要ない場合には、プロセスはブロック７１５からブロック７２５に流れてもよく、このブロック７２５では、プロセスは終了してもよい。
【００４０】
また、本明細書に開示するような実施形態は、その上に保存されたコンピュータ実行可能な命令またはデータ構造を運搬したり、または保持したりするためのコンピュータ可読媒体を含んでいてもよい。このようなコンピュータ可読媒体は、汎用または専用コンピュータによりアクセスできる任意の利用可能媒体である可能性がある。制限としてではなく、一例として、このようなコンピュータ可読媒体は、ＲＡＭ、ＲＯＭ、ＥＥＰＲＯＭ、ＣＤ−ＲＯＭもしくは他の光ディスク記憶装置、磁気ディスク記憶装置もしくは他の磁気記憶装置、またはコンピュータ実行可能な命令もしくはデータ構造の形の所望のプログラムコード手段を運搬したり、もしくは保存したりするのに使用できる他の任意の媒体を含むことができる。ネットワークまたは他の通信接続（有線の、無線の、またはそれらの組み合わせ）を介してコンピュータに情報を転送したり、または提供したりするとき、コンピュータは接続をコンピュータ可読媒体と厳密に見なす。したがって、任意のこのような接続は、コンピュータ可読媒体と厳密に呼ばれる。上述の組み合わせもまた、コンピュータ可読媒体の範囲内に含むべきである。
【００４１】
コンピュータ実行可能命令は、例えば、汎用コンピュータ、専用コンピュータ、または専用制御演算装置に特定の機能または一群の機能を実行させる命令およびデータなどを含んでいる。また、コンピュータ実行可能命令は、スタンドアロン環境内またはネットワーク環境内でコンピュータが実行するプログラムモジュールを含んでいる。一般に、プログラムモジュールは、特定のタスクを行ったり、または特定の抽象データ型を実装したりするルーチン、プログラム、オブジェクト、コンポーネント、およびデータ構造などを含んでいる。コンピュータ実行可能命令、関連するデータ構造、およびプログラムモジュールは、本明細書に開示する方法のステップを実行するためのプログラムコード手段の例を表している。このような実行可能命令または関連するデータ構造の特定のシーケンスは、このような実行可能命令または関連するデータ構造の中に記述する機能を実装するための対応する行為の例を表している。上述の、および他の、さまざまな特徴および機能、またはそれらの代替が、他の多くの異なるシステムまたは応用において組み合わされることが望ましい可能性があることを理解されたい。また、これらの特徴および機能、またはそれらの代替の、現在のところ予見できない、または思いがけないさまざまな代替、変更、変形、または改良が、その後に当業者により行われる可能性があるが、これらの代替、変更、変形、または改良もまた下記クレームにより含まれるものとする。
【図１】
2014035081.tif 000003
【図２】
2014035081.tif 000004
【図３Ａ】
2014035081.tif 000005
【図３Ｂ】
2014035081.tif 000006
【図３Ｃ】
2014035081.tif 000007
【図３Ｄ】
2014035081.tif 000008
【図４】
2014035081.tif 000009
【図５】
2014035081.tif 000010
【図６】
2014035081.tif 000011
【図７】
2014035081.tif 000012